(57)【要約】本発明は、着用者の着用する下着が着用者の腰部に対し着用者の身長方向にスライドすることを抑制することができる下衣を提供することを課題とする。その課題を解決する手段は、腰周部分を有する下衣であって、  前記腰周部分の背面部分かつ下衣の内側には、下衣身生地とその生地とは異なる面状物とから構成される、または下衣身生地とは異なる面状物から構成される筒状部を有しており、  前記筒状部は、その軸方向が前記腰周部分の腰周方向と略平行になるように配置されており、  前記筒状部の後方部分の内面の静摩擦係数が０．２以上１．０以下であり、  前記筒状部の前方部分の、筒状部の幅方向の１０％伸長時の応力が１０Ｎ／２５ｍｍ以下である、下衣。  【選択図】図６
2018066504.tif 000002
【特許請求の範囲】
【請求項１】
腰周部分を有する下衣であって、
前記腰周部分の背面部分かつ下衣の内側には、
下衣身生地とその生地とは異なる面状物とから構成される、または
下衣身生地とは異なる面状物から構成される
筒状部を有しており、
前記筒状部は、その軸方向が前記腰周部分の腰周方向と略平行になるように配置されており、
前記筒状部の後方部分の内面の静摩擦係数が０．２〜１．０であり、
前記筒状部の前方部分の、筒状部の幅方向の１０％伸長時の応力が１０Ｎ／２５ｍｍ以下である、下衣。
【請求項２】
前記筒状部の前方部分の人体に近い部分の面の静摩擦係数が０．２〜１．０である請求項１に記載の下衣。
【請求項３】
前記筒状部が、下衣身生地とその生地とは異なる面状物とから構成されるものであって、
前記面状物の上方部および下方部は、それぞれ下衣身生地と連続または断続的に連結されている、請求項１または２に記載の下衣。
【請求項４】
前記筒状部が、下衣身生地とは異なる面状物とから構成されるものであって、
前記筒状部の上方部および下方部は、それぞれ下衣身生地と連続または断続的に連結されている、請求項１または２に記載の下衣。
【請求項５】
前記面状物が布帛である請求項１〜４いずれかの下衣。
【請求項６】
請求項１〜５のいずれかに記載の下衣と、腰部保護ベルトと、を有するベルト付き下衣。
【発明の詳細な説明】
【技術分野】
【０００１】
本発明は、下衣に関する。
【背景技術】
【０００２】
職業性疾病のうち、腰痛は労働者が仕事の中でかかりやすい病気のひとつであり、さまざまな職種に広がり発生している。腰痛発生のリスクが高い職業従事者として、重量物運搬や長距離ドライブに従事する運送業従事者、入院患者の介助や救急患者の対応が必要な医療従事者があげられるが、最近では、高齢者介護などの社会福祉施設での業務の従事者の腰痛発生件数が大幅に増加している。また近年、職場にも家庭にもパーソナルコンピューターが行き渡っており、画面を注視しながら長時間マウスやキーボード操作する作業も、腰痛発生の新たな要因となっている。【０００３】
こうした腰痛は職業従事者の年齢が上がるにつれ増加する傾向にあるが、特に初期のうちに対策をとる人は少なく、腰痛の症状が進むまで何もしないという人が少なくない。また、日本は少子高齢化が進み、生産年齢人口の減少という問題に直面しているが、社会を支えるという側面では、６５歳以上の働くシニアや働く女性が増加している。こうした中、貴重な労働者の健康維持・増進はこれまで以上に重要性を増しており、職業衣においても、従来からの安全性、動き易さ、識別性という機能に加え、労働者の健康をより積極的に保つという視点が重要となっている。【０００４】
従来、腰痛予防には、着用者の腰の周り、特に着用者の骨盤上部を含む位置で、腰部保護帯を、締め付け、そして腹圧を上げるのが有効とされてきた。これは腹腔がラグビーボールのように柱となって腰の負担を軽減するためである。しかし、こうした腰部保護帯は、衣服の下に着用するものが大多数であり、衣服を脱いでから体に付けなくてはならないので面倒であり、また、腰部保護帯を体に付けた後で腰部の締め具合を調節するときにも、衣服を脱ぐか緩めるかしてから締め具合を調節しなくてはならないため、この作業が面倒であるという課題があった。【０００５】
そこで、スポーツ用ズボン等のスポーツ用衣服に一体に腰部保護具を付設でき、その締め具合を容易に調節できる腰部保護具付きスポーツ用衣料が知られている（特許文献１参照）。この衣料では、衣料を脱ぐか緩めるかすることをせずに腰部保護具による着用者の腰部の締め付け、および、締め付け具合の調整をすることが可能な構成となっており、上記の腰部保護具による着用者の腰部の締め付け等の作業が面倒であるとの課題を解決するものである。
【先行技術文献】
【特許文献】
【０００６】
【特許文献１】特開平１０−４６４０９号公報
【発明の概要】
【発明が解決しようとする課題】
【０００７】
しかしながら、特許文献１に開示された腰部保護具付きスポーツ用衣料では、腰部保護具は衣料本体の腰のあたりに固定されている。このため、着用者が姿勢を直立姿勢からしゃがみ姿勢またはしゃがみ姿勢から直立姿勢へと変化させる伸縮動作を複数回繰り返し行った場合、本衣料の腰周の部分が着用者の身長方向でのスライドに伴い、上記の腰部保護部も着用者の腰部に対し着用者の身長方向にスライドすることがある。そして、特許文献１に開示された腰部保護具付きスポーツ用衣料では、腰部保護具が着用者の着用する下着等に直接接する構造となっている。このため、腰部保護具の上端が着用者の着用する下着に意図せず係止された場合には、腰部保護具の着用者の腰部に対する着用者の身長方向でのスライドに伴い、上記の下着も着用者の腰部に対し着用者の身長方向にスライドすることとなり、着用者に不快感を与えるといった課題がある。【０００８】
そこで、本発明は上記の課題に鑑みてなされたものであり、着用者の腰部を締め付ける腰部保護ベルトを装着して用いるのに好適な下衣であって、腰部保護ベルトにより腰部を締め付けられた着用者の上記のような姿勢の繰り返しの変化に伴い、着用者の着用する下着が着用者の腰部に対し着用者の身長方向にスライドすることを抑制することができる下衣を提供することにある。
【課題を解決するための手段】
【０００９】
上記課題を解決するために、本発明は以下の構成およびさらに好ましい態様を開示する。
１．腰周部分を有する下衣であって、
前記腰周部分の背面部分かつ下衣の内側には、
下衣身生地とその生地とは異なる面状物とから構成される、または
下衣身生地とは異なる面状物から構成される
筒状部を有しており、
前記筒状部は、その軸方向が前記腰周部分の腰周方向と略平行になるように配置されており、
前記筒状部の後方部分の内面の静摩擦係数が０．２〜１．０であり、
前記筒状部の前方部分の、筒状部の幅方向の１０％伸長時の応力が１０Ｎ／２５ｍｍ以下である、下衣。
２．前記筒状部の前方部分の人体に近い部分の面の静摩擦係数が０．２〜１．０である前記下衣。
３．前記筒状部が、下衣身生地とその生地とは異なる面状物とから構成されるものであって、
前記面状物の上方部および下方部は、それぞれ下衣身生地と連続または断続的に連結されている、前記いずれかの下衣。
４．前記筒状部が、下衣身生地とは異なる面状物とから構成されるものであって、
前記筒状部の上方部および下方部は、それぞれ下衣身生地と連続または断続的に連結されている、前記１または２の下衣。
５．前記面状物が布帛である前記いずれかの下衣。
６．前記のいずれかに記載の下衣と、腰部保護ベルトと、を有するベルト付き下衣。
【発明の効果】
【００１０】
着用者の腰部を締め付ける腰部保護ベルトを装着して用いるのに好適な下衣であって、着用者が直立姿勢からしゃがみ姿勢へ、または、しゃがみ姿勢から直立姿勢へと姿勢を変化させる動作を複数回繰り返し行った場合等に見られる、着用者の着用する下着の着用者の腰部に対する着用者の身長方向でのスライド（以下、「ずりあがり」と称することがある）を抑制可能な下衣を提供することができる。
【図面の簡単な説明】
【００１１】
【図１】本発明の第１の実施態様の下衣の正面かつ上の方から見た図である。
【図２】図１に示す下衣の外観図である。
【図３】図１に示す下衣のＡ−Ａ’断面図である。
【図４】本発明の下衣に装着し得る腰部保護ベルトの一例の正面図である。
【図５】本発明の下衣に装着し得る腰部保護ベルトの一例の背面図である。
【図６】腰部保護ベルトを装着した図１に示す下衣の正面かつ上の方から見た図である。
【図７】腰部保護ベルトを装着した図６に示す下衣のＢ−Ｂ’断面図である。
【図８】本発明の第２の実施態様の下衣の正面かつ上の方から見た図である。
【図９】図８に示す下衣のＣ−Ｃ’縦断面概念図である。
【図１０】腰部保護ベルトを装着した図８に示す下衣を正面かつ上の方から見た図である。
【図１１】腰部保護ベルトを装着した図１０に示す下衣のＤ−Ｄ’断面図である。
【図１２】図２に示す下衣のE−E’断面図である。
【図１３】図１に示す下衣の右側面図である。
【図１４】図８に示す下衣の右側面図である。
【発明を実施するための形態】
【００１２】
本発明でいう用語の意味は以下のとおりである
下衣：下半身に着用する衣服であり、例えばスカートならびにスラックス、ジーンズ、チノ・パンツ、カーゴパンツ、半ズボンなどのズボンがある。
【００１３】
腰周部分：下衣の着用時に、着用者の脊柱の下部から骨盤までの部分の体表面周りに、直接または間接に当たる下衣の一部、または全部である。この腰周部分は、ベルト通し、脇ポケット、後ろポケット、前後ファスナーを含むウェスト部分、及びズボンの股上部分からなる群より選ばれる１つ以上を有していてもよい。
【００１４】
背面部分：着用者の背面に直接または間接に当たる下衣の一部。
【００１５】
筒状部：下衣の腰周部分、背面部分にある筒状の部分。下衣本体の背面部分の前部にある。必ずしも断面が円である必要はなく、断面が中空または中空になりうるものであればよく、つぶれていてもよいし、折り畳まれてほぼ面状になっていてもよい。筒状部の軸方向は筒状部の長さ方向でもある。
【００１６】
本発明の第１の実施態様における筒状部：下衣身生地と、その生地とは異なる面状物と、から構成される筒状部。
【００１７】
本発明の第２の実施態様における筒状部：下衣身生地とは異なる面状物から構成される筒状部。
【００１８】
第１の実施態様の発明：第１の実施態様の筒状部を有する発明。
【００１９】
第２の実施態様の発明：第２の実施態様の筒状部を有する発明。
【００２０】
筒状部の後方部分：筒状部はその上部で下衣と結合する。結合している線と筒状部が最も下となる線とで２つの部分で区分できる。その部分のうち、着用者から遠い部分。第１の実施態様では、図３の、「腰周部分で背部にある下衣生地５」。第２の実施態様では図９の、「筒状部の後方部分１５’」。以下「筒状部後方部分」ということがある。
【００２１】
筒状部の前方部分：筒状部はその上部で下衣と結合する。結合している線と筒状部が最も下となる線とで２つの部分で区分できるその部分のうち、着用者に近い部分。第１の実施態様では図３の、「筒状部の前方部分６」。第２の実施態様では図９の「筒状部の前方部分１５」。以下「筒状部前方部分」ということがある。
前方：下衣における着用者の前の方向（図１２では符号１９）。
後方：下衣における着用者の後ろの方向（図１２では符号２０）。
【００２２】
以下に本発明を、図を用いて説明するが、本発明は以下の開示のみに限定されるものではない。
【００２３】
まず、第１の実施態様の下衣について説明する。
【００２４】
図１は第１の実施態様の例となる下衣の一部を示す正面かつ上の方から見た図であり、図２は図１に示す下衣の右側面図である。本発明の下衣１は、その周りに腰周部２を有している。
【００２５】
また、第１の実施態様の下衣１が有する腰周部２は、その背面部分１８に筒状部３を有している。また、この筒状部３は、その軸方向が腰周部の腰周方向４と略平行となるように配置されている。
【００２６】
そして図６を参照されたい。この筒状部３の内部には、腰部保護ベルト９を、筒状部３の中に挿入することができる。
【００２７】
次に、図３は図１に示す下衣のＡ−Ａ’断面図である。図１の筒状部３は、図３に示すように腰周部で背部にある下衣生地５と筒状部前方部分６を構成する面状物とから構成されており、前記面状物は下衣の内側に配置されている。下衣生地５は本発明でいう筒状部後方部分となっている。また筒状部前方部分６は面状物が使用されている。その結果、下衣身生地と、その生地とは異なる面状物と、から構成される筒状部が形成されている。
【００２８】
そして、面状物で構成される筒状部前方部分６の上端は、下衣生地５と、腰周方向に係止部７により連続的にまたは断続的に連結されている。図３の形態のように筒状部前方部分６を構成する面状物の上端が腰周部と連結されていることが、本発明の下衣の着用時に着用者の爪先などが面状物と下衣生地５との間で引っかかってしまうことを抑制することができるので好ましい。
【００２９】
ただ、図３に示される形態に限定されることはない。面状物の上端よりも少し下の部分（面状物の上端の下方に位置する部位）が、連結されている形態、すなわち、係止部の上方に面状物の上端がはみ出している形態であってもよい。
【００３０】
また、図３では、筒状部前方部分６を構成する面状物の下端は、腰周方向に断続して、腰周部分で背部にある下衣生地５と係止部８により連結されている。下端で連結していることが好ましい理由は以下のとおりである。
【００３１】
面状物の下端部を下衣身生地の内面に沿うように固定できる。その結果、腰部ベルトを筒状部内部に通した際の収まりがよい。また、面状物の下端部が下衣の内側で勝手に動くことを抑制できる。面状物が下衣の内側で折れ曲がることを抑制することができるため、着用者は下衣を履いたままでもスムーズに腰部保護ベルトを筒状部に通すことができる。
【００３２】
図３に示される形態に限定されることはない。面状物の下端よりも少し上の部分（面状物の下端の上方に位置する部位）が、連結されている形態、すなわち、係止部の下方に布帛の下端がはみ出している形態であってもよい。
【００３３】
本発明で図３のような断面を有する形態の下衣においては、係止部７および係止部８は縫製により形成されており、布帛（面状物）の上方部および下方部は、それぞれ、腰周方向に断続して、それぞれ腰周部分で背部にある下衣生地と連結されている。この連結は断続している必要はなく、連続していてもよい。この連結は、筒状体を構成しているところの面状物の上端および下端で行われるのが好ましい。ここで、断続した係止部としては、縫製や接着剤や融着、面ファスナーやボタンによる係止により得られるものが挙げられる。その一方で、連続した係止部としては、縫製や融着により得られるものが挙げられる。なお、縫製は通常の本縫いのほか、人への肌触りを円滑にする観点から、フラットシーマ縫製や二本針、三本針縫製などの環縫いがより好ましい。また、断続した係止部の形態例としては図１に示す本発明の下衣が備えるものに限定されず、例えば、筒状部の軸方向における筒状部の両端部の下端にそれぞれ１点のみ設けられるような係止部であってもよい。
【００３４】
ここで、第１の実施態様の下衣における下衣身生地について説明する。この実施態様の下衣では、下衣身生地とは、下衣を構成する部材のうち、筒状部前方部分を構成する面状物以外の生地である。図１３は図１に示す下衣の外観図である。図１３では、見えない部分であるが破線で筒状部前方部分６を構成する面状物が示されており、実線で下衣身生地２４が示されている。
【００３５】
また、図１２は図２に示す下衣のＥ−Ｅ’断面図である。図１に示す本発明の下衣の実施態様においては、腰周部分で背部にある下衣生地５と筒状部前方部分６を構成する面状物とから構成される筒状部が腰周部分での背面部分１８に形成されている。また、筒状部の内部の空間、すなわち、腰周部分で背部にある下衣生地５と筒状部の子前方部分６との間の空間は腰部保護ベルト配置用空間２１であり、ベルトが装着されたベルト付き下衣の状態では、この腰部保護ベルト配置用空間２１には腰部保護ベルトの腰部保護部が収納される。
【００３６】
次に、図４は、第１および第２の実施態様のいずれの下衣にも装着し得る腰部保護ベルトの一例であって、一方の面を示す正面図である。図５はその腰部保護ベルトの背面図である。この腰部保護ベルト９は、腰部保護部１０、この腰部保護部１０の左右に配されたベルト部１１、腰部保護ベルトの一方の端部に配された第一の固定用部材１２、腰部保護ベルトの他方の端部に配置された第二の固定用部材１３、および腰部保護部１０の中央に配されたボーン１４を有する。
【００３７】
図４および図５に示した腰部保護ベルト９の腰部保護部１０は、幅が大きくなっている帯状のものである。このように大きくなっているのがボーンを配置する上で好適である。図示したものと違い、腰部保護部がベルト部と同じ幅や、また、ベルト部よりも狭くてもよい。腰部保護部の着用者の身長方向の幅は５〜２０ｃｍであることが好ましい。背幅を５ｃｍ以上とすることで、着用者の腰部の締め付け圧が狭幅部分に集中し、圧力が相対的に高くなり血管等を過度に圧迫することを抑制することができ、また、腰部保護部の配置の際の位置決めにおいて、腰部保護部が骨盤の上部がかかるようにするための負担を軽減できる。幅を２０ｃｍ以下とすることで、長時間の着用時の暑苦しさをより軽減することができる。こうした点を踏まえて、可動制限を最小限に抑えつつ、長時間の着用や作業性を確保するために、腰部保護部の幅を前記範囲とすることが好ましい。また上記の観点から、幅は８ｃｍ以上であることがより好ましく、一方、１５ｃｍ以下であることがより好ましい。
【００３８】
腰部保護部はベルト部と同じ素材を用いたものであっても、異なる素材を用いたものであってもよい。なお、腰部保護部やベルト部の素材としては、布帛や合成革などを用いることができる。腰部保護ベルトを選択可能なものとすることができるとの理由から、上記の素材は布帛であることが好ましい。また、上記の布帛の素材としては、ポリエチレンテレフタレート繊維やポリアミド繊維などの合成繊維、綿などの天然繊維、レーヨンなどの再生繊維などを用いることができる。また、上記の布帛の素材として、上記の繊維を複数用いることもできる。
【００３９】
また、腰部保護部は、脊柱の位置を安定させるためボーンを備えることが好ましい。ここで、ボーンの素材は金属および樹脂などで比較的曲げ応力の高いものが好ましい。その形状もスパイラル状および短冊状ボーンのものが例示される。
【００４０】
また、図示していないが、腰部保護部には、滑り止め部材を備えていてもよい。
【００４１】
そして、上記の腰部保護ベルトを本発明の下衣に装着した状態において、この腰部保護ベルトが備える第一の固定用部材と第二の固定用部材とを着用者の前方にて接合させることで、着用者の腰部に対する着圧を高めることができる。着用者の腰部に対する着圧の調整幅を大きくすることができることから、第一の固定用部材および第二の固定用部材のいずれかは少なくとも腰部保護ベルトの長手方向に長いものであることが好ましい。さらに、着用者の腰部に対する着圧を調整する幅を大きくする目的で、帯状の平ゴム等から成る補助ベルトを備えていても良い。
【００４２】
ここで、この腰部保護ベルトが備える第一の固定用部材および第二の固定用部材は、互いを係止させるために、材料として面ファスナを用いることが好ましい。その場合の面ファスナの種類については特に制約はないが、下衣身生地を傷つけることで下衣身生地にピリングが発生してしまうことを考慮すると、雄面の突起部の先端部分が丸みを帯びているきのこ型の形態の面ファスナを用いることが好ましい。
【００４３】
さらに、腰部保護ベルトに使用する面ファスナの雄面と雌面とが係止しているとき、せん断強度は、前記腰部保護ベルトを着用中に腰部保護ベルトの係止部が外れてしまわないようにするため、４．０Ｎ／ｃｍ２以上であることが好ましく、８．０Ｎ／ｃｍ２以上であることがより好ましい。一方で、せん断強度は、着脱時の快適性を保つために、１２．０Ｎ／ｃｍ２以下であることが好ましい。このような範囲のせん断強度を持つ面ファスナを腰部保護ベルトに使用することにより、重なり合う２つの端部同士が引き合う力が適度なものとなり、腰部の着用性もより優れたものとなる。
【００４４】
図６は、図１の下衣に図４に示す腰部保護ベルトを装着した状態を示す正面かつ上方から見た図である。図７は、図６の下衣およびそれに装着した腰部保護ベルトのＢ−Ｂ’断面図である。この実施態様においては、筒状部３の内部に、腰部保護ベルト９が、この腰部保護ベルト９の長手方向が筒状部３の軸方向と略平行となるように、かつ、腰部保護ベルトのボーンが設けられた側の面（以下、腰部保護ベルトのこの面を「腰部保護ベルトの面Ａ」と称することがある）が下衣の着用時に着用者側となるように挿入、配置されている。そして、図６で示すところのこの筒状部３の右側の筒状部の外部には腰部保護ベルトの右側端部が筒状部から突出した状態で配置されている。また、この筒状部３の左側の筒状部外部には腰部保護ベルトの左側端部が筒状部から突出した状態で配置されている。また、この腰部保護ベルトが備える腰部保護部は筒状部に覆われており、筒状部後方部分の内面は、腰部保護ベルトの面Ａの反対側の面（以下、腰部保護ベルトのこの面を腰部保護ベルトの面Ｂと称することがある）と接している。すなわち、腰部保護ベルトの面Ｂは下衣身生地の腰周部分で背部にある下衣生地の内面と接している。
【００４５】
図３を参照されたい。第1の実施態様の下衣においては、腰周部で背部にある下衣生地５が筒状部後方部分に相当する。そうなると、その内面２２の静摩擦係数が０．２〜１．０である。  
【００４６】
また図３の筒状部前方部分６を構成する面状物の幅方向（以下、方向Ｉと称することがある）の１０％伸長時の応力は１０Ｎ／２５ｍｍ以下である。ここで、方向Iとは、下衣の着用時における着用者の身長方向と略平行な方向でもある。
【００４７】
ここで、面状物の素材としては、特に限定はされないが、汎用性に優れるとの理由により、布帛が好ましい。なかでも織物または編物がさらに好ましい。また、布帛に用いられる繊維としては、合成繊維や天然繊維を挙げることができ、複数の繊維が用いられてもよい。耐洗濯性や原糸・編織設計の汎用性を考慮するとポリエステル繊維やナイロン繊維などの合成繊維を単独で使用したり、ポリエステル繊維やナイロン繊維などの合成繊維と、ポリウレタン繊維、レーヨン繊維、アクリル繊維、及び綿繊維からなる群から選ばれる１種以上と、を複合して使用することが好ましい。
【００４８】
上述のとおり筒状部前方部分（図７では符号６）の面状物の幅方向、すなわち方向Ｉでの１０％伸長時の応力は１０Ｎ／２５ｍｍ以下である。これを達成するために使用できる布帛は、経緯の両方あるいは、経緯のいずれかの糸に伸縮性のある糸を用いた織物、織物に比較して伸びやすい編物である。編物においては伸縮性のある糸と非伸縮性の糸の配合率を適宜調整することで得ることができる。具体的には、方向Ｉの１０％伸長時の応力が１０Ｎ／２５ｍｍ以下である布帛として以下のものがあげられる。
【００４９】
（Ｉ）絹やウールなどの天然繊維やレーヨンなどの再生繊維、アクリル系繊維やポリエステル系繊維などの合成繊維などに弾性繊維（ポリウレタン繊維など）を混用した繊維から構成される織物。
（ＩＩ）絹やウールなどの天然繊維、レーヨンなどの再生繊維、アクリル系繊維やポリエステル系繊維などの合成繊維などに弾性繊維（ポリウレタン繊維など）を混用した繊維から構成される編物。
（ＩＩＩ）弾性繊維を使用しないで、一方がポリトリメチレンテレフタレート（ＰＴＴ）を主体としたポリエステル樹脂であり、他方がポリエチレンテレフタレートを主体としたポリエステル樹脂である２種類のポリエステル樹脂を繊維長さに沿ってサイドバイサイドに貼りあわせた複合繊維のマルチフィラメントを経糸および緯糸の少なくとも一方に用いた織物。
（ＩＶ）弾性繊維を使用しないで、一方がポリトリメチレンテレフタレート（ＰＴＴ）を主体としたポリエステル樹脂であり、他方がポリエチレンテレフタレートを主体としたポリエステル樹脂である２種類のポリエステル樹脂を繊維長さに沿ってサイドバイサイドに貼りあわせた複合繊維のマルチフィラメントを用いた編物。
（Ｖ）パワーネット。
【００５０】
ここで、パワーネットとは、ナイロン繊維等と弾性繊維（例えば、ポリウレタン繊維）とから生成された目の細かいネット状の生地をいう。目付け１００ｇ/ｍ２程度の比較的薄地のものでもよく伸び、キックバック性にも優れており、下衣の背面部分に備える筒状部の機能を担保しつつ、この筒状部をコンパクトに実現することができるとの理由により、筒状体前方部分６（すなわち、面状体）はパワーネットであることが好ましい。
【００５１】
上で説明したとおり筒状部後方部分（図７では腰周部分で背部にある下衣生地５が該当）の内面２２の静摩擦係数が０．２以上１．０以下である。また、この静摩擦係数が選ばれる理由は後述のとおりである。ここで、筒状部後方部分の内面２２の静摩擦係数を０．２〜１．０とするための手段としては以下のものが例示される。
【００５２】
下衣身生地を織物や編物とし、この生地の表面の凹凸状態や、この生地を構成する糸の種類によって静摩擦係数を調整することができる。織物では、表面の凸凹が少ない平織では静摩擦係数は小さくなり、逆に、織物表面に斜めの畝が現れる綾織や、斜めの畝は現れないが一定間隔で組織点を配置した朱子織では静摩擦係数が大きくなる。また、生地の表面にパイルを設けたり、表面を起毛することは一般的に静摩擦係数を高める。編物では、緯編みでも、経編みでもよく、編地の粗密によって静摩擦係数を調整することができる。ただ、編目が切断してもランを起こしにくく、その結果耐久性が高くなるという観点から経編みが好ましい。織物または編物へ使用する糸の形状によっても、静摩擦係数を調整することもできる。例えば、フィラメント糸のほうが紡績糸に較べて繊維表面の凹凸が小さいので、この糸を用いた生地の静摩擦係数を小さくすることができる。また、糸の素材によっても静摩擦係数は調整可能であり、例えばポリテトラフルオロエチレン繊維（ＰＴＦＥ繊維）はそれ自体が、静摩擦係数が低く、逆に、ゴムやポリウレタン糸はそれ自体が、静摩擦係数が高い。生地の一部または全部に、このような糸を使用することで生地としての静摩擦係数を調整することができる。また、静摩擦係数は生地の表面と裏面で異なる値とすることもできる。両面編組織（トリコット）の片面は弾性糸のみによるニットループを形成して経編地が構成され、もう一方の面は弾性糸と非弾性糸との併用によるニットループを形成して経編地が構成されることで、弾性糸のみによるニットループを形成した面については、高い摩擦係数が発現する。
【００５３】
また、筒状部前方部分の外面２３（すなわち、前記筒状部の人体に近い部分の面）の静摩擦係数は０．２〜１．０であることが好ましい。また、静摩擦係数の調整方法としては、腰周部分で背部にある下衣生地５の内面の静摩擦係数の調整方法と同様に織編組織の表面の凸凹や糸の形状や種類によって調整することが挙げられる。
【００５４】
筒状部前方部分の外面の静摩擦係数が０．２〜１．０であることで、着用者の動作に伴う着用者の着用する下着の着用者の腰部に対する着用者の身長方向でのスライドを抑制できるという本発明の効果がより顕著なものとなる。
【００５５】
続いて、第２の実施態様の筒状部を有する下衣について以下、説明を行う。
【００５６】
第２の実施態様の筒状部は、下衣身生地とは異なる面状物から構成される。
【００５７】
図８は第２の実施態様の下衣を正面かつ上方から見た図である。図９は図８に示す下衣のＣ−Ｃ’縦断図である。この実施態様においても、図８に示すように、下衣１は腰周部２を有しており、そして腰周部２の背部には筒状部３を有している。さらに、この筒状部３はその軸方向が腰周部の腰周方向と略平行となっている。第２の実施態様の筒状部は、下衣身生地とは異なる面状物から構成されており例えば、図９に示すように筒状部前方部分１５および筒状部後方部分１５’から構成されている。筒状部の上端および下端はそれぞれ係止部１６および係止部１７により下衣身生地の腰周部分で背部にある下衣生地と連結されている。
【００５８】
図１４は、図８に示す第２の実施態様の下衣外観図である。図１４では、見えない部分であるが破線で筒状部が示されており、実線で下衣身生地２４が示されている。  そして、図１０は、第２の実施態様である図８に示す下衣に、図４および図５に示す腰部保護ベルトを装着した状態を示す正面かつ上方から見た図である。図１１は腰部保護ベルトを装着した図１０に示す下衣のＤ−Ｄ’断面図である。
【００５９】
図１０を参照されたい。第２の実施態様においては、筒状部３の内部に、腰部保護ベルト９が、挿入、配置されている。この腰部保護ベルト９の長手方向が筒状部３の軸方向と略平行となるように、かつ、腰部保護ベルトの面Ａが下衣の着用時に着用者側となっている。そして、この筒状部３の右側の腰部保護ベルトの右側端部が筒状部から突出した状態で配置され、また、この筒状部の左側の筒状部外部には腰部保護ベルトの左側端部が筒状部から突出した状態で配置されている。また、この腰部保護ベルトが備える腰部保護部は筒状部に覆われており、筒状部後方部分の内面は腰部保護ベルトの面Ｂと接し得る状態にある。すなわち、腰部保護ベルトの面Ｂは筒形状の布帛１５の下衣身生地の腰周部分で背部にある下衣生地の内面と接する面の反対側の面と接し得る状態にある。
【００６０】
第２の態様の下衣においても、筒状部後方部分の内面（図９において符号２２の面）の静摩擦係数が０．２〜１．０である。この静摩擦係数が選ばれる理由は後述のとおりである。そして、筒状部前方部分の幅方向（方向Ｉ）の１０％伸長時の応力は１０Ｎ／２５ｍｍ以下である。
【００６１】
第２の実施態様においても、筒状部を構成する面状物の素材としては、特に限定はされないが、好ましいものは布帛である。このような静摩擦係数を有する素材および伸長時の応力を有する素材としては、第１の実施態様で説明したものが使用できる。布帛を折り畳んで上方部を結合する方法に加え、布帛を２枚以上縫合する方法や、丸編物をそのまま使用して、筒状とすることができる。そのまま使用して筒状部としてもよい。  
【００６２】
そして、筒状部前方部分１５と後方部分１５’とから構成される筒状部は、上端で下衣生地５と、腰周方向に係止部１６により連続的にまたは断続的に連結されている。筒状物の上端が腰周部と連結されていることが、本発明の下衣の着用時に着用者の爪先などが筒状物と下衣生地５との間で引っかかってしまうことを抑制することができるので好ましい。
【００６３】
ただ、図９に示される形態に限定されることはない。面状物の上端よりも少し下の部分（面状物の上端の下方に位置する部位）が、連結されている形態、すなわち、係止部の上方に面状物の上端がはみ出している形態であってもよい。
【００６４】
また、図９では、筒状部の下端は、腰周方向に断続して、腰周部分で背部にある下衣生地５と係止部１７により連結されている。下端で連結していることが好ましい理由は以下のとおりである。
【００６５】
筒状部の下端部を下衣身生地の内面に沿うように固定できる。その結果、腰部ベルトを筒状部内部に通した際の収まりがよい。また、筒状部の下端部が下衣の内側で勝手に動くことを抑制できる。筒状部が下衣の内側で折れ曲がることを抑制することができるため、着用者は下衣を履いたままでもスムーズに腰部保護ベルトを筒状部に通すことができる。
【００６６】
図９に示される形態に限定されることはない。面状物の下端よりも少し上の部分（面状物の下端の上方に位置する部位）が、連結されている形態、すなわち、係止部の下方に布帛の下端がはみ出している形態であってもよい。
【００６７】
本発明で図９のような断面を有する形態の下衣においては、係止部１６および係止部１７によって、筒状部は背部にある下衣生地と連結されている。ただし布帛の上端または下端は、連続して、この下衣生地と連結されていてもよい。
【００６８】
ここで、断続または連続した係止部としては、第１の実施態様で説明した手段があげられる。
【００６９】
また、第１の実施態様、第２の実施態様に共通して、筒状部前方部分の外面（すなわち、筒状部の人体に近い部分の面）の静摩擦係数は０．２〜１．０であることが好ましい。すなわち、この実施態様においては、筒形部の前方部分を構成する面状物の人体に近い方の面の静摩擦係数は０．２以上１．０以下であることが好ましい。ここで、筒形部を構成する面状物の人体に近い方の面とは、例えば、図１０および１１に示される下衣において、この下衣の着用時に、着用者の身体や着用者の着用する下着などと接し得る筒状部前方部分１５の面である。なお、布帛の静摩擦係数を調整する手段としては上記の通りである。筒状部前方部分の人体に近い部分の面の静摩擦係数が０．２〜１．０であることで、着用者の動作に伴う着用者の着用する下着の着用者の腰部に対する着用者の身長方向でのスライドを抑制できるという本発明の効果がより顕著なものとなる。
【００７０】
第１の実施態様の下衣、第２の実施態様の下衣に共通して、静摩擦係数および伸長時応力が特定範囲にあることによる作用効果を説明する。下衣が備える腰周部分が有する筒状部後方部分の内面の静摩擦係数は０．２〜１．０であり、この筒状部前方部分の１０％伸長時の応力は１０Ｎ／２５ｍｍ以下である。そして、本発明の下衣は上記のような特徴を備えることで、着用者の屈伸などの運動に伴い、着用者の下着が上方に引っ張り上げられる現象の発生が抑制される。上記の効果の奏される想定メカニズムは以下の通りであると考える。
【００７１】
すなわち、着用者が腰部保護ベルトを装着した下衣を着用し、上記の腰部保護ベルトにて着用者の腰部を締め付けている場合、上記の腰部保護ベルトは着用者の着用する下着を介して着用者の腰部に強く密着することとなる、そして、この状態において、本発明の下衣が備える腰周部分が有する筒状部後方部分の内面の静摩擦係数が０．２以上１．０以下と小さいことで、腰部保護ベルトが、着用者の屈伸などの運動に伴う下衣の腰周部分の上方への動きに追従して、腰部保護ベルトが筒状部の中を上方に適度にすべりながら上方へ移動する。前記筒状部前方部分が上方へ適度に伸びることで適切な位置、例えば骨盤にフィットする位置、を保ちながら腰部保護ベルトが追従する。そして、このあと、屈曲から立位に戻ったときにはベルトが筒状部の中を下方に適度にすべりながら元の位置へ移動し、前記筒状部前方部分は収縮し、元のサイズに戻る。人の体は屈曲したときに腹囲が太くなり、腰部保護ベルトへの圧力も強くなる。ポイントとなるのは、この屈曲から立位に戻るときの腰部保護ベルトの動きである。屈曲から立位に戻ると人体の体は腹囲が太い状態から細くなる。その時に人体は腰部からウェストラインにかけて細くなっている。腰部保護ベルトを装着した後に、筒状部を有しない下衣を着用している場合、ウェストラインに向けて腰部保護ベルトがずり上がり、そのままとなってしまう。
【００７２】
しかし、腰部保護ベルトが下衣の筒状部を通じており、さらに、この筒状部の各部の静摩擦係数および応力が上記範囲であると、下衣の腰周部分が元の位置に戻る。また方向Ｉの方向に腰部保護ベルトが適度にひっぱられつつ、腰部保護ベルトは筒状部の内部を滑りながら元の位置に収まるように作用するため、ずり上がったままになりにくい。
【００７３】
第１の実施態様、第２の実施態様に共通して、本発明の下衣が備える筒状部後方部分の内面の静摩擦係数は０．２〜１．０であることは上記のとおりである。筒状部後方部分の内面の静摩擦係数が１．０以下であることで、腰部保護ベルトが下衣の腰周部分の動きに追従して動くことを抑制することができる。一方、筒状部後方部分の内面の静摩擦係数が０．２以上であることで次の作用効果もある。すなわち腰部保護ベルトが過度に下衣の腰周部分と独立して過度に動き、そして腰部保護ベルトの位置が腰部保護に適した位置からずれることを抑制することができる。上記の効果をより優れたものとできることから、この静摩擦係数は０．３以上であることが好ましく、０．４以上であることがより好ましい。また、上記の効果をより優れたものとできることから、この静摩擦係数は０．８以下であることがより好ましく、０．６以下であることがより好ましい。
【００７４】
なお、筒状部前方部分の人体に遠い部分の面（すなわち、筒状部前方部分の着用者側の面の反対側の面）の静摩擦係数は、着用者の着用する下着が着用者の腰部に対し着用者の身長方向にスライドすることを抑制するとの本発明の効果に事実上、影響を与えない。そのメカニズムについては以下のとおりと考える。すなわち、本発明の効果を得るためには、着用者の屈伸運動に伴って、腰部保護ベルトの腰部保護部と筒状部後方部分とは、着用者の身長方向に相対的にスライドし易い状態である必要がある。ここで、着用者が本発明の下衣と腰部保護ベルトを着用している状態においては、筒状部前方部分は腰部保護ベルトの腰部保護部によって着用者の腰部に押し付けられた状態となる。そうすると、筒状部前方部分の人体に遠い部分の面と腰部保護ベルトの腰部保護部との静摩擦係数が仮に低い場合でも、筒状部前方部分は腰部保護ベルトの腰部保護部によって着用者の腰部に押し付けられているため、筒状部前方部分に対し腰部保護ベルトの腰部保護部はスライドし難い状態となる。よって、腰部保護ベルトの腰部保護部は着用者の腰部に強く密着することとなるため、結果として、着用者の屈伸運動に伴って、腰部保護ベルトの腰部保護部と筒状部後方部分とは、着用者の身長方向に相対的にスライドし易い状態となるためであると考える。なお、筒状部前方部分の人体に遠い部分の面と腰部保護ベルトの腰部保護部との静摩擦係数が高い場合には、腰部保護ベルトの腰部保護部はより強く着用者の腰部に密着することになるため、この場合においても、着用者の屈伸運動に伴って、腰部保護ベルトの腰部保護部と筒状部後方部分とは、着用者の身長方向に相対的にスライドし易い状態となる
また、第１の実施態様、第２の実施態様に共通して、本発明の下衣においては、筒状部前方部分の人体に近い部分の面、すなわち、筒状部前方部分の着用者側の面の静摩擦係数は０．２〜１．０であることが好ましい。この面の着用者が着用する下着と、この筒状部前方部分とが接触するが、静摩擦係数が１．０以下であることで、下衣が下着の動きに追従していくことを抑制することができる。一方で、下着と下衣との位置関係があまりに抵抗なく動くと、違和感を感じることもあることから。この面の静摩擦係数は０．２以上が好ましい。これらの効果をより優れたものとできることから、この面の静摩擦係数は０．３以上であることがより好ましく、０．４以上であることが更に好ましい。また、上記の効果をより優れたものとできることから、この静摩擦係数０．８以下であることがより好ましく、０．６以下であることが更に好ましい。
【００７５】
また、第１の実施態様、第２の実施態様に共通して、本発明の下衣においては、筒状部前方部分の方向Ｉの１０％伸長時の応力が１０Ｎ／２５ｍｍ以下である。筒状部前方部分の方向Ｉの１０％伸長時の応力が１０Ｎ／２５ｍｍ以下であることで、着用者が着用する下着が下衣の腰周部分に追従して動くことを極めて効果的に抑制することが可能となるのは上記の通りである。上記の効果が極めて顕著なものとなるとの理由から、筒状部前方部分の方向Ｉの１０％伸長時の応力は１Ｎ／２５ｍｍ以下であることが好ましい。ここで、筒状部の方向Ｉとは着用者の身長方向や下衣の腰周部分の上方に平行な方向をいう。また、筒状部前方部分の方向Ｉの１０％伸長時の応力の下限については特に限定はされないが、伸びすぎると完全には元の長さに戻らず、布帛にひずみが残りやすくしわや腰まわりのごわごわ感を招くおそれがありこのような回復率との観点から０．２Ｎ／２５ｍｍ以上であることが好ましい。
【００７６】
第１の実施態様の下衣では、下衣身生地が、筒状部後方部分となっているものである。筒状部を構成する前方部分の面状物は上方部で連続または断続して下衣身生地と連結されていることが好ましい。この連結は筒状部の幅方向の上端またはその近くがいい。なお、面状物の上方部とは、面状物の上端と面状物の上端の下方に位置する部位とを含む部位を意味する。筒状部前方部分の面状物は下方部でも連続または断続して下衣身生地と連結されているのが望ましい。この連結は筒状部の幅方向の下端またはその近くがいい。なお、面状物は下方部とは、面状物の下端と面状物の下端の上方に位置する部位とを含む部位を意味する。筒状部の約半分に下衣身生地を利用することで、第２の実施態様の下衣に比べてコンパクトな筒状部を形成することができる。
【００７７】
一方で、第２の実施態様の下衣では、下衣身生地以外の面状物が使用される。筒状部の上方部で連続または断続して下衣身生地と連結されておいるのが好ましい。この連結は筒状部の幅方向の上端またはその近くがいい。なお、面状物は上方部とは、面状物の上端と面状物の上端の下方に位置する部位とを含む部位を意味する。さらに、筒状部の下方部でも前記腰周方向に連続または断続して前記腰周部分の背面部分と連結されているのも望ましい。この連結は筒状部の幅方向の下端またはその近くがいい。なお、面状物は下方部とは、面状物の下端と面状物の下端の上方に位置する部位とを含む部位を意味する。このように筒状部を、筒状部の上部から吊り下げ、筒状部の下部を部分的に連結することで、腰部保護ベルトを下衣に挿入したとき、後ろ姿のシルエットがすっきり見えるためである。
【実施例】
【００７８】
以下、本発明をさらに実施例により詳細に説明する。【００７９】
（測定方法）
（静摩擦係数）
布帛サンプルの静摩擦係数をＪＩＳ  Ｐ８１４７：１９９４  ３．２傾斜方法に準じて測定した。幅２５ｍｍ、長さ１３０ｍｍの試験片を３枚用意した。次に、これら３枚の試験片の内の１枚の試験片を、滑り傾斜角測定装置の８７２ｇの重りに取り付けた。一方、幅１２０ｍｍ×長さ２００ｍｍの被摩擦体を滑り傾斜角測定装置に取り付け、試験片を取り付けた重りを試験片の測定面が被摩擦体に接触するように、かつ、試験片の長さ方向と滑り傾斜角測定装置の滑り方向とが一致するように被摩擦体上に上載し、傾け角度３°／秒の条件で傾斜の程度を高くしていき、重りが落下したときの傾斜角を読み取り、前記傾斜角の正接（ｔａｎθ）を静摩擦係数とした。上記と同様の方法で他の２枚の試験片についても静摩擦係数を測定し、その３枚分の静摩擦係数の測定値の平均値を布帛サンプルの静摩擦係数とした。ここで、試験片の長さ方向が前記筒状部前方部分の方向Ｉと同じであるように、試験片をサンプリングすることとする。また、被摩擦体として使用するのは、標準綿（３−１号：一般財団法人日本規格協会製）とし、この標準綿の布帛の方向は経でも緯でも構わない。【００８０】
（１０％伸長時の応力）
布帛サンプルの１０%伸長時の応力を島津製作所社製  オートグラフＡＧ−５０ｋＮＧを用いて測定した。具体的には、幅２５ｍｍ、長さ２２０ｍｍに裁断した試験片を５枚用意した。次に、５枚の試験片の内の１枚の試験片を、チャック間距離１００ｍｍにて上記の測定機器に取り付け、引っ張り速度３００ｍｍ／ｍｉｎで試験片が破断するまで引っ張った。同様のことを他の４枚の試験片に対しても行い、５枚の試験片、それぞれについて１０％伸長時の応力を測定した。ここでいう、「１０％伸長時の応力」とは、上記の方法で測定した５枚の布帛の伸度が１０％のときの伸長応力の平均値をいう。ここで、試験片の長さ方向が前記筒状部前方部分の方向Ｉと同じであるように、試験片をサンプリングすることとする。【００８１】
（面ファスナせん断強度）
腰部保護ベルトの面ファスナ接着時最大せん断強度をＪＩＳ  ３４１６に準じて島津製作所社製オートグラフＡＧ−５０ｋＮＧを用いて測定した。具体的には、腰部保護ベルトの両端を長さ１５０ｍｍに裁断した試験片をそれぞれ５枚ずつ用意し、次に、雄面および雌面それぞれ５枚の試験片の内の１枚を端の面ファスナ雄面設置箇所のみ重なるように接着し、この試験片をチャック間距離１１０ｍｍにて上記の測定機器に取り付け、引っ張り速度３００ｍｍ／ｍｉｎで試験片の接着面が離れるまで引っ張った。同様のことを他の４枚の試験片に対しても行い、５枚の試験片、それぞれについて最大強度を測定し、接着面積の値で割り、面積当たりの最大強度を算出した。ここでいう、「せん断強度」とは、上記の方法で測定した５枚の面積当たりの最大強度の平均値をいう。【００８２】
（評価方法）
（ずりあがり抑制性）
被験者２０名が下着の上から実施例および比較例の下衣を着用し、腰部保護ベルトを下衣に挿入した上で、各自が適度な腹圧を腰部（骨盤位）に感じるよう調整した。その後、着用者が立位としゃがみ姿勢を１０回繰り返し、アンケートにて腰部保護ベルトのずれやすさについて下記基準で段階評価を行った。
１：かなりずれた。
２：ずれた。
３：あまりずれが気にならない。
４：ほとんどずれなかった。
５：全くずれなかった。【００８３】
被験者２０人のうち３〜５のいずれかの評価点を与えた被験者の数を表１〜３に示した。この人数が１０名以上であったものを、ずりあがり抑制効果ありと判断していい。
（ピリング性）
大栄科学精器製作所製の平面摩耗試験機を使用し、荷重２００ｇにて前記下衣身生地に使用される布帛をタテ方向およびヨコ方向にて2枚ずつ幅４０ｍｍ×長さ２５０ｍｍにてサンプリングし、得られたサンプルと前記腰部保護ベルトの係止部に使用される面ファスナ（雄）とで平面摩耗処理（３０回）を行った。上記の平面摩耗処理後のサンプルそれぞれについて、ＪＩＳ  Ｌ１０７６（２０１２）で定められたピリング試験の視覚判定方法に準じて以下の基準で等級視覚判定を行った。
１：密集した表面毛羽立ちおよび／または甚だしいピリング、
２：明瞭な表面毛羽立ちおよび／または明瞭なピリング、
３：中程度の表面毛羽立ちおよび／または中程度のピリング、
４：わずかな表面毛羽立ちおよび／または部分的にできた毛玉、５：変化なし）。
ここで、もし等級が２つの等級の中間である場合は、中間の等級を付けた。たとえば、「密集した表面毛羽立ち」（評価点１に相当）および「明瞭なピリング」（評価点２に相当）が観察される場合には、１−２とする。また、「ピリング性」とはタテ・ヨコ２枚ずつの等級判定結果のうち最も数値が低いものを指すこととする。
（実施例）
（実施例１）
経糸に１６７ｄｔｅｘのポリエチレンテレフタレート糸と、ポリエステル６５％・綿３５％の紡績糸とを用い、緯糸に１６７ｄｔｅｘのポリエチレンテレフタレート糸を用い、経糸密度１５４本／２．５４ｃｍ、緯糸密度６４本／２．５４ｃｍの経二重綾織に製織し、ポリエステル９０％、綿１０％の下衣身生地用の生地Ａを得た。【００８４】
続いて、７８ｄｔｅｘのナイロン糸と３１０ｄｔｅｘのポリウレタン弾性繊維とを用いて編成し、ナイロン８２％、ポリウレタン１８％のパワーネット生地（以下、このパワーネット生地を生地Ｄと称する）を得た。【００８５】
上記下衣身生地用の生地Ａを下衣身生地に用い、外観が図１および図２、内部が図３に示される形態の下衣を作成した。すなわち、図３の筒状部後方部分の布帛は、生地Ａで構成される下衣身生地の腰周部分で背部にある下衣生地であり、筒状部前方部分の布帛（面状物）は、生地Ｄである。また、図４および５で示される形態の腰部保護ベルトを作成し、その係止部には面ファスナ雄面として押出し成型タイプであるモールドマジック（登録商標）（クラレファスニング（株）製）、雌面としてリングファスナー（（株）セイホウ製）を用い、これを腰部保護ベルト１とした。上記筒状部に腰部保護ベルト１を図６に示すように下衣に装着し、ずりあがり抑制性を評価した。筒状部を構成する布帛の物性および下衣の評価結果を表１に示す。【００８６】
（実施例２）
４４ｄｔｅｘのナイロン糸と４４ｄｔｅｘのポリウレタン弾性繊維とを用いてトリコットに編成し、ナイロン７０％、ポリウレタン３０％のトリコット生地（以下、このトリコット生地を生地Ｅと称する）を得た。実施例１の下衣に用いたものと同様の生地Ａと、生地Ｅとを用いて、外観が図１および図２、内部が図３に示される形態の下衣を作成した。すなわち、図３の筒状部後方部分の布帛は、生地Ａで構成される下衣身生地の腰周部分で背部にある下衣生地であり、筒状部後方部分の布帛は、生地Ｅである。上記筒状部に図４、５で示される形態の腰部保護ベルト１を図６のように下衣に装着し、ずりあがり抑制性を評価した。筒状部を構成する各布帛の物性および下衣の評価結果を表１に示す。【００８７】
（実施例３）
３．３ｄｔｅｘのＰＴＦＥ繊維を経緯に用いて１００％ＰＴＦＥ綾織物（目付５２２ｇ／ｍ２）を作成し、これを下衣身生地用の生地Ｂとした。この生地Ｂを下衣身生地の腰周部分で背部にある下衣生地に用い、それ以外の下衣身生地の部分には生地Ａを用いて下衣身生地を作成し、さらに、実施例１で用いたものと同じ生地Ａを用いて、外観が図１、図２、内部が図３に示される形態の下衣を作成した。図３の筒状部後方部分の布帛は、生地Ｂ、筒状部前方部分の布帛（面状物）は実施例１と同じ生地Ｄである。上記筒状部に図４および５で示される形態の腰部保護ベルト１を図６のように下衣に装着し、ずりあがり抑制性を評価した。筒状部を構成する各布帛の物性および下衣の評価結果を表１に示す。【００８８】
（実施例４）
８４ｄｔｅｘのＰＰＴ複合繊維と綿１００％紡績糸とを使用して２８Ｇでトリコットを編成し、トリコット生地（以下、このトリコット生地を生地Ｆと称する）を得た。実施例１にて用いたものと同様の生地Ａを用いて実施例１と同様にして下衣身生地を作成し、さらに、生地Ｆを用いて、外観が図１および図２、内部が図３に示される形態の下衣を作成した。図３の筒状部後方部分の布帛は生地Ａ、筒状部前方部分の布帛（面状物）は上記生地Ｆである。上記筒状部に図４および５で示される形態の腰部保護ベルト１を図６のように下衣に装着し、ずりあがり抑制性を評価した。筒状部を構成する各布帛の物性および下衣の評価結果を表１に示す。【００８９】
（実施例５）
径１ｍｍのシリコンドット加工が１ｍｍ間隔で施された綿１００％ニット生地（シリコンドット加工された面の静摩擦係数０．９１）を生地Ｃとした。この生地Ｃを下衣身生地の腰周部分で背部にある下衣生地に用い、それ以外の下衣身生地の部分には生地Ａを用いて下衣身生地を作成し、さらに、実施例１で用いたものと同様の生地Ｄを用いて、外観が図１、図２、内部が図３に示される形態の下衣を作成した。図３の筒状部後方部分の布帛は生地Ｃ、筒状部前方部分の布帛（面状物）は実施例１と同様の生地Ｄである。上記筒状部に図４および５で示される形態の腰部保護ベルト１を図６のように下衣に装着し、ずりあがり抑制性を評価した。筒状部を構成する各布帛の物性および下衣の評価結果を表２に示す。【００９０】
（実施例６）
実施例１にて用いたものと同様の生地Ａを用いて下衣身生地を作成し、さらに、実施例１にて用いたものと同様の生地Ｄを用いて筒状部を作成し、外観が図８、図２、内部が図９に示される形態の下衣を作成した。筒状部は実施例１と同様の生地Ｄを図９のように下方部で折り返して下衣身生地に、その上方部を腰周部分の背部の全周に渡って、その下方部を部分的に腰周部分の背部に縫製して留めたものであり、図９の筒状部後方部分の布帛は生地Ｄ、筒状部前方部分の布帛（面状物）も生地Ｄである。上記筒状部に図４および５で示される形態の腰部保護ベルト１を図６のように下衣に装着し、ずりあがり抑制性を評価した。筒状部を構成する各布帛の物性および下衣の評価結果を表２に示す。【００９１】
（実施例７）
３０ゲージのダブルトリコット編機を使用して、フロント筬に弾性糸３３デシテック
スのポリウレタン弾性糸を準備し、バック筬にナイロン原糸２２ｄｔｅｘ／７フィラメントを準備し、次の組織で両面編組織の弾性糸含有率５３％の経編地を編成した  
フロント筬：１−０／１−２／２−３／２−１／／
バック筬  ：２−３／１−１／１−０／２−２／／
次に、得られた経編地を精錬した。このようにして、両面編組織の片面は弾性糸のみによるニットループを形成して経編地が構成され、もう一方の面は弾性糸と非弾性糸との併用によるニットループを形成して経編地が構成される表面の静摩擦係数が０．６０裏面が０．３９の、表裏で異なる静摩擦係数を持つトリコット生地（以下、このトリコット生地を生地Ｇと称する）を得た。【００９２】
実施例１にて用いたものと同じ生地Ａを用いて下衣身生地を作成し、さらに、上記の生地Ｇを用い、外観が図８、図２、内部が図９で示される形態の下衣を作成した。生地Ｇを折り返して筒状部となる部材を得た。その生地Ｇの上下方向における二つの端部と腰周部分の背部とを連続的に縫製して結合した。また、生地Ｇの折り返したところと腰周部分の背部とを断続的に縫製して結合した。その結果、筒状部が得られた。前者の結合部分は後者の結合部分より、下衣において上に位置する。前記生地の特性により、筒状部後方部分の内面には生地Ｇの静摩擦係数が０．３９である面が配置され、筒状部前方部分の外面には生地Ｇの静摩擦係数が０．６０である面が配置されている。上記筒状部に図４および５で示される形態の腰部保護ベルト１を図６のように下衣に装着し、ずりあがり抑制性を評価した。筒状部を構成する各布帛の物性および下衣の評価結果を表２に示す。【００９３】
（実施例８）
実施例１にて用いたものと同じ生地Ａを用いて、下衣身生地を作成し、さらに実施例７の下衣で用いたものと同じ生地Ｇを用いて、実施例７と同様に筒状部を作成した。ただし、生地の表裏を逆に配置し生地の特性により筒状部後方部分の内面には生地Ｃの静摩擦係数が０．６０である面が配置され、筒状部の前方部の外面には生地Ｇの静摩擦係数が０．３９である面が配置されている。上記筒状部に図４および５で示される形態の腰部保護ベルト１を図６のように下衣に装着し、ずりあがり抑制性を評価した。筒状部を構成する各布帛の物性および下衣の評価結果を表２に示す。【００９４】
（実施例９）
実施例１にて用いたものと同様の生地Ａを用いて下衣身生地を作成し、さらに、実施例１にて用いた生地Ｄを用いて実施例７と同様に筒状部を作成し、外観が図８、図２、内部が図９に示される形態の下衣を作成した。筒状部後方部分の布帛は生地Ｄ、筒状部前方部分の布帛（面状物）も生地Ｄである。また、図４、５で示される形態の腰部保護ベルトを作成し、その係止部には面ファスナ雄面として押出し成型タイプである１ＱＥＬＳＸ−５０Ｊ（ＹＫＫ（株）製）、雌面として２ＷＡＹ起毛生地を用い、これを腰部保護ベルト２とした。上記筒状部に腰部保護ベルト２を図６のように下衣に装着し、ずりあがり抑制性を評価した。筒状部を構成する各布帛の物性および下衣の評価結果を表２に示す。【００９５】
（実施例１０）
実施例１にて用いたものと同じ生地Ａを用いて下衣身生地を作成し、さらに、実施例１にて用いた生地Ｄを用いて実施例７と同様に筒状部を作成し、外観が図８、図２、内部が図９に示される形態の下衣を作成した。筒状部後方部分の布帛は生地Ｄ、筒状部前方部分の布帛（面状物）も生地Ｄである。また、図４、５で示される形態の腰部保護ベルトを作成し、その係止部には面ファスナ雄面として織物テープタイプである１ＱＳＫ（ＹＫＫ（株）製）、雌面として２ＷＡＹ起毛生地を用い、これを腰部保護ベルト３とした。上記筒状部に腰部保護ベルト３を図６のように下衣に装着し、ずりあがり抑制性を評価した。各筒状部布帛の物性や下衣の評価結果を表２に示す。  （比較例）
（比較例１）
実施例１にて用いたものと同様の生地Ａを用い筒状部を有しない従来技術に係る下衣を作成した。図４、５で示される形態の腰部保護ベルト１を着用した着用者に、さらに、腰部保護ベルトの上から上記の下衣を着用してもらい、ずりあがり抑制性を評価した。各筒状部布帛の物性や下衣の評価結果を表３に示す。【００９６】
（比較例２）
実施例１にて用いたものと同様の生地Ａを用いて下衣身生地を作成し、さらに、生地Ａを筒状部前方部分の面状物として使用し、外観が図１、図２、内部が図３で示されるような形態の下衣を作成した。図３の筒状部後方部分の布帛は生地Ａ、筒状部前方部分の布帛（面状物）も生地Ａである。生地Ａは１０％伸長時の応力が１２Ｎであった。上記筒状部に腰部保護ベルト１を図６のように下衣に装着し、ずりあがり抑制性を評価した。各筒状部布帛の物性や下衣の評価結果を表３に示す。【００９７】
（比較例３）
長さ１４ｃｍ、幅２５ｍｍの布テープであり、その長手方向の一方の端部から他方の端部に連続して配置された２つの高摩擦帯を有する滑り止めテープ（Ａｎｄｏ  Ｔａｐｅ製８００Ａ  弾性糸の露出が多い面の静摩擦係数１．０７）を３枚用意した。これらの滑り止めテープを実施例１にて用いたものと同じ下衣身生地の腰周部分の背部に、この腰周部分の背部の中央部と中央部から左右８ｃｍの部位の合計３箇所に縫着した。滑り止めテープの長手方向は鉛直方向と略平行とした。この下衣身生地と、実施例１で用いたものと同様の生地Ｄを用いて、外観が図１、図２、内部が図３に示されるような形態の下衣を作成した。図３の筒状部後方部分の布帛は３枚の滑り止めテープが縫着された生地Ａ、筒状部前方部分の布帛（面状物）は実施例１と同様の生地Ｄである。上記筒状部に図４、５で示される形態の腰部保護ベルト１を図６のように下衣に装着し、ずりあがり抑制性を評価した。筒状部を構成する各布帛の物性および下衣の評価結果を表３に示す。【００９８】
（比較例４）
実施例１にて用いた生地Ａを用いて下衣身生地を作成し、さらに、実施例１で用いたものと同様の生地Ｄを筒状部前方部分の面状物として用いた。また、筒状部前方部分の人体に近い部分（生地Ｄ）の面の上に、生地Ｄ（面状体）の中央部と中央部から左右８ｃｍの部位の合計３箇所に、比較例３で用いた滑り止めテープを、その滑り止めテープの長手方向が方向Ｉと略平行となるように縫着した。このとき、滑り止めテープの面上の弾性糸の露出が多い面が下衣の内側となるように外観が図１、図２、内部が図３で示される形態の下衣を作成した。図３の筒状部後方部分の布帛は生地Ａ、筒状部前方部分の布帛（面状物）は３枚の滑り止めテープが縫着された生地Ｄである。上記筒状部に図４、５で示される形態の腰部保護ベルト１を図６のように下衣に装着し、ずりあがり抑制性を評価した。筒状部を構成する各布帛の物性および下衣の評価結果を表３に示す。【００９９】
【表１】
2018066504.tif 000003
【０１００】
【表２】
2018066504.tif 000004
【０１０１】
【表３】
2018066504.tif 000005
【符号の説明】
【０１０２】
１：下衣
２：腰周部
３：筒状部
４：腰周方向
５：腰周部分で背部にある下衣生地
６：筒状部前方部分
７：係止部
８：係止部
９：腰部保護ベルト
１０：腰部保護部
１１：ベルト部
１２：第一の固定部
１３：第二の固定部
１４：ボーン
１５：筒状部前方部分
１５’：筒状部後方部分
１６：係止部
１７：係止部
１８：背面部分
１９：前方
２０：後方
２１：腰部保護ベルト配置用空間
２２：筒状部後方部分の内面
２３：筒状部前方部分の外面
２４：下衣身生地
Ｉ：筒状部の幅方向
【図１】
2018066504.tif 000006
【図２】
2018066504.tif 000007
【図３】
2018066504.tif 000008
【図４】
2018066504.tif 000009
【図５】
2018066504.tif 000010
【図６】
2018066504.tif 000011
【図７】
2018066504.tif 000012
【図８】
2018066504.tif 000013
【図９】
2018066504.tif 000014
【図１０】
2018066504.tif 000015
【図１１】
2018066504.tif 000016
【図１２】
2018066504.tif 000017
【図１３】
2018066504.tif 000018
【図１４】
2018066504.tif 000019
【国際調査報告】
2018066504.tif 000020
2018066504.tif 000021
2018066504.tif 000022
2018066504.tif 000023